(57)【要約】【課題】原材料混合調製タイプの材料の原材料同士を噴霧直前に均一に混合して噴霧することにより、均質な機能性樹脂皮膜を形成することが可能な噴霧装置およびその取扱方法を提供する。【解決手段】この噴霧装置１０は、噴霧装置の本体である胴体部１と、この胴体部１に一体的に設けられて原材料が送入されるチャンバーを構成する直管部７と、チャンバーに第１の原材料を供給する第１の供給ライン３と、チャンバーに第２の原材料を供給する第２の供給ライン４とを備え、チャンバー内に設けられて前記第１の原材料と前記第２の原材料を混合して均一な原液を調製するミキサと、チャンバーの下流側に設けられた噴霧口であるノズル部８とを備えたことを特徴とする。【選択図】  図１
2005296896.tif 000002
【特許請求の範囲】
【請求項１】
少なくとも２種類の原材料を混合して皮膜形成材料の原液を調製し、この原液を噴霧する噴霧装置であって、この噴霧装置が、噴霧装置の本体である胴体部に一体的に設けられて前記原材料が送入されるチャンバーと、このチャンバーに第１の原材料を供給する第１の供給ラインと、前記チャンバーに第２の原材料を供給する第２の供給ラインと、前記チャンバー内に設けられて前記第１の原材料と前記第２の原材料を混合して均一な原液を調製するミキサと、前記チャンバーの下流側に設けられた噴霧口であるノズル部とを備えたことを特徴とする噴霧装置。
【請求項２】
前記第１の供給ラインおよび前記第２の供給ラインにそれぞれ設けられた第１の供給バルブおよび第２の供給バルブを収容したケースを前記胴体部と一体的に設け、前記ケースに前記第１の供給バルブおよび前記第２の供給バルブを同時に開閉操作することが可能な操作部を設けたことを特徴とする請求項１記載の噴霧装置。
【請求項３】
前記チャンバーに第３の供給ラインが接続され、この第３の供給ラインに洗浄流体を供給することを特徴とする請求項１記載の噴霧装置。
【請求項４】
前記チャンバーに第３の供給ラインが接続され、この第３の供給ラインに第３の原材料を供給することを特徴とする請求項１記載の噴霧装置。
【請求項５】
前記ケースにグリップが一体的に設けられ、このグリップを把持して作業可能に設けたことを特徴とする請求項１記載の噴霧装置。
【請求項６】
前記チャンバーとしての内部スペースを有する直管部を備え、前記直管部内に前記ミキサとしてのスタティックミキサが設置されたことを特徴とする請求項１記載の噴霧装置。
【請求項７】
前記第１の供給バルブと前記第２の供給バルブのそれぞれの弁体を作動させる軸部に、この軸部を中心にして回旋可能なドラム部を一体的に設け、このドラム部に前記操作部を取り付けて、前記操作部を操作することにより前記ドラム部を回旋させて前記第１の供給バルブおよび前記第２の供給バルブを開閉操作可能なように構成したことを特徴とする請求項２記載の噴霧装置。
【請求項８】
少なくとも２種類の原材料を混合して皮膜形成材料の原液を調製し、この原液を噴霧する噴霧装置の取扱方法であって、噴霧装置の本体に接続された第１の供給ラインおよび第２の供給ラインにそれぞれ設けられた第１の供給バルブおよび第２の供給バルブを同時に開として、前記本体に一体的に設けられたチャンバーに第１の原材料および第２の原材料を送入し、前記チャンバーに設置されたミキサによって前記第１の原材料および第２の原材料を混合して皮膜形成材料の原液を調製し、前記チャンバーの下流側に設けられたノズル部から前記原液を噴霧することを特徴とする噴霧装置の取扱方法。
【発明の詳細な説明】
【技術分野】
【０００１】
本発明は、対象物の表面に皮膜形成材料を噴霧する噴霧装置およびその取扱方法に関する。
【背景技術】
【０００２】
アスファルトに代表される舗装道路の表面には、耐久性や撥水性または透水性等の機能を付与するために、主に樹脂等の高分子材料からなる機能性皮膜を形成するための手段が講じられている。
【０００３】
近年問題視されている温暖化現象、特に都市部におけるヒートアイランド現象の原因として、コンクリート構造物や舗装道路表面による輻射熱の影響が指摘されている。こうした問題に対する技術的な対策の一つとして、例えば、遮熱性を有する高分子材料皮膜を構造物の表面に形成させる方法がある。すなわち、輻射熱を抑制する材料の皮膜を舗装面に形成して、この皮膜により上記したような熱的な影響を低減する技術である。
【０００４】
高分子材料の皮膜形成方法としては、例えば、ローラーによる塗膜の形成や、液状の樹脂を噴霧装置により射出して皮膜を形成する方法が一般的である。特に霧状にした材料を対象面に噴霧する噴霧装置は、路面に均質な皮膜を形成することが可能であるため、最も一般的に使用される手段である。
【０００５】
従来、遮熱性を有する機能性樹脂についての技術が開示されている（例えば、特許文献１参照）。また、遮熱性を有する機能性樹脂の皮膜形成方法も開示されている（例えば、特許文献２参照）。一方、樹脂材料と道路基盤とを積層構造とする施工方法についての技術もある（例えば、特許文献３参照）。
【特許文献１】特開２００２−２６４３５４号公報
【特許文献２】特開２００２−０８６０６７号公報
【特許文献３】特開平１１−２３５７０１号公報
【発明の開示】
【発明が解決しようとする課題】
【０００６】
こうした路面の皮膜形成に用いられる材料は、そのほとんどが２種類以上の原材料を混合して原液を調製するものである。しかしながら、この原材料同士の混合が不十分であると材料の硬化が不十分となり、皮膜として所定の性能が発揮されない。従って、原材料同士を予め十分に均一に混合する必要がある。また、原材料同士を混合すると、ただちに材料の硬化が開始するため、原液が噴霧前に硬化して噴霧装置内で固着する恐れがある。従って、原材料同士の混合は、噴霧作業の直前であることが好ましい。
【０００７】
これらの性質上、材料の原材料同士は、使用の直前に短時間のうちに十分に混合されなければならず、噴霧装置の構造およびその取扱方法が制限されていた。
【０００８】
また従来、路面の皮膜形成に樹脂等の高分子材料を使用する場合、作業員が把持して使用する噴霧装置は、予め混合調製された原液が送入されて、この原液を噴霧するための装置であった。従って、原材料同士は、噴霧装置に送入される前に、例えば、原材料混合容器等を設けて混合され、こうして調製された原液を噴霧装置に送入して路面に噴霧していた。そのため、多くの場合、噴霧装置を使用する作業地点から離れた場所で原材料同士の混合（原液の調製）がなされていた。
【０００９】
しかしながら、噴霧装置内や、特に、原材料の容器から噴霧装置に原液を送入する原液送入ラインが長い場合、この原液送入ライン内において材料の硬化による固着の問題が発生することがあった。さらに、皮膜形成作業の終了後に噴霧装置を放置すると、噴霧装置内やノズル部において材料の固着による目詰まりが生じたり、また、作業時の圧力損失が増加したりする等の問題も指摘されていた。
【００１０】
本発明は、上述した事情を考慮してなされたものであり、原材料混合調製タイプの材料の原材料同士を噴霧直前に均一に混合して噴霧することにより、均質な機能性皮膜を形成することが可能な噴霧装置およびその取扱方法を提供することを目的とする。
【課題を解決するための手段】
【００１１】
本発明の噴霧装置は、上述した課題を解決するために、少なくとも２種類の原材料を混合して皮膜形成材料の原液を調製し、この原液を噴霧する噴霧装置であって、この噴霧装置が、噴霧装置の本体である胴体部に一体的に設けられて前記原材料が送入されるチャンバーと、このチャンバーに第１の原材料を供給する第１の供給ラインと、前記チャンバーに第２の原材料を供給する第２の供給ラインと、前記チャンバー内に設けられて前記第１の原材料と前記第２の原材料を混合して均一な原液を調製するミキサと、前記チャンバーの下流側に設けられた噴霧口であるノズル部とを備えたことを特徴とするものである。
【００１２】
また、本発明の噴霧装置は、上述した課題を解決するために、本発明の噴霧装置は、上述した課題を解決するために、前記第１の供給ラインおよび前記第２の供給ラインにそれぞれ設けられた第１の供給バルブおよび第２の供給バルブを収容したケースを前記胴体部と一体的に設け、前記ケースに前記第１の供給バルブおよび前記第２の供給バルブを同時に開閉操作することが可能な操作部を設けたことを特徴とするものである。
【００１３】
また、本発明の噴霧装置は、前記チャンバーに第３の供給ラインが接続され、この第３の供給ラインに洗浄流体または第３の原材料を供給することを特徴とするものである。
【００１４】
さらに、本発明の噴霧装置は、前記ケースにグリップが一体的に設けられ、このグリップを把持して作業可能に設けたことを特徴とするものである。
【００１５】
一方、本発明の噴霧装置の取扱方法は、上述した課題を解決するために、少なくとも２種類の原材料を混合して皮膜形成材料の原液を調製し、この原液を噴霧する噴霧装置の取扱方法であって、噴霧装置の本体に接続された第１の供給ラインおよび第２の供給ラインにそれぞれ設けられた第１の供給バルブおよび第２の供給バルブを同時に開として、前記本体に一体的に設けられたチャンバーに第１の原材料および第２の原材料を送入し、前記チャンバーに設置されたミキサによって前記第１の原材料および第２の原材料を混合して皮膜形成材料の原液を調製し、前記チャンバーの下流側に設けられたノズル部から前記原液を噴霧することを特徴とする方法である。
【発明の効果】
【００１６】
本発明の噴霧装置によれば、原材料混合調製タイプの材料の原材料を均一に混合し、対象面に均質な皮膜を形成することが可能な噴霧装置およびその取扱方法を提供することが可能である。
【発明を実施するための最良の形態】
【００１７】
本発明の噴霧装置の好ましい実施の形態について、実施例を参照して以下に詳細に説明する。
【００１８】
なお、以下の実施例に示す噴霧装置は、本発明の噴霧装置の一実施形態を示すものであり、具体的な形状や寸法については、この実施例に示される形態に限定されない。また、以下の実施例において上流および下流とは、流体の流れ方向に沿った方向を示し、上下方向とは、本実施例の噴霧装置を把持して正面方向の対象物に向けて噴霧する場合の上下方向を指すものとする。
【００１９】
図１に本実施例の噴霧装置１０の上方外観の概略図を示す。また、図２に実施例１の噴霧装置１０の側方外観の概略図を示す。
【００２０】
この噴霧装置１０は、噴霧装置１０の本体をなす略円筒形状の胴体部１およびケース２で構成され、この胴体部１に、第１の原材料および第２の原材料を供給するための第１の供給ライン３および第２の供給ライン４が導入される。また、主に洗浄流体を供給する第３の供給ライン５が導入される。胴体部１の上流側には、キャップ６を介して直管部７が接続され、この直管部７の先端に噴霧口としてのノズル部８が一体的に設けられる。第１の供給ライン，第２の供給ラインおよび第３の供給ラインは、胴体部１内において統合され、直管部７に導入される。
【００２１】
図３に実施例１の噴霧装置１０の内部構造を示す部分断面図を示す。
【００２２】
胴体部１の下流側に一体的に接続されたケース２には、第１の供給ライン３および第２の供給ライン４に設けられた第１の供給バルブ１１および第２の供給バルブ１２が収容される。第１の原材料および第２の原材料の供給は、第１の供給バルブ１１および第２の供給バルブ１２の開閉動作により制御することが可能である。
【００２３】
こうした構造を有する本発明の噴霧装置において、第１の供給バルブ１１および第２の供給バルブ１２は、それぞれ個別に原材料の流量を調整するように設けることも可能であるが、噴霧作業時の操作利便性を考慮すると、原材料の供給は、作業時に供給バルブを個々に微調整するような構造とするより、原材料のオンオフを決定する単純な開閉動作であることが好ましい。
【００２４】
そこで、本実施例の噴霧装置１０においては、第１の供給バルブ１１および第２の供給バルブ１２は、その開閉が一動作で簡単に操作可能であるように、第１の供給バルブ１１および第２の供給バルブ１２を、１本のレバーで構成された操作部１３によって同時開閉することが可能な構成とする。この操作部１３は、第１の供給バルブ１１および第２の供給バルブ１２の弁体と接続してこれを作動させる軸部１１Ａおよび軸部１２Ａに直接接続されたドラム部１４に一体的に設けられる。一方、操作部１３の操作側１３Ａは、ケース２に設けられたスリット２Ａから噴霧装置１０の上方に突出しており、この操作側１３Ａを把持して操作することによりドラム部１４が回旋され、第１の供給バルブ１１および第２の供給バルブ１２が同時に開閉の任意の方向に操作可能なように構成される。
【００２５】
一方、第３の供給ライン５には、第３の供給バルブ１５が設けられる。第３の供給ライン５は、第１の供給ライン３および第２の供給ライン４とは別に胴体部１の下部側に直接導入される。すなわち、第３の供給バルブ１５は、噴霧装置１０に洗浄流体を供給する目的上、第１の供給バルブ１１および第２の供給バルブ１２と独立して操作可能なように設けられる。
【００２６】
第１の供給ライン３および第２の供給ライン４は、噴霧装置１０の用途や噴霧する材料にもよるが、原材料となる主たる材料の粘性や舗装道路面への塗膜形成量から考慮して、管径１５Ａから２０Ａの配管で構成されることが実用上好ましい。また、第１の供給バルブ１１および第２の供給バルブ１２は、開閉操作をレバー構造の操作部１３により行う観点から、供給ラインと同一径の真鍮製やステンレス製のボールバルブが好ましい。また、第１の供給バルブ１１および第２の供給バルブ１２の耐用圧力および耐用温度等の仕様は、使用する材料の物性および噴霧装置１０の使用条件等によって任意に決定してよい。
【００２７】
胴体部１およびケース２は、第１の供給ライン３および第２の供給ライン４が接続されて第１の供給バルブ１１および第２の供給バルブ１２が収容されることを考慮して、また皮膜形成作業時の利便性の観点から、内径が約１００ｍｍ程度、胴体部１とケース２とを合わせた長さが約２００ｍｍ程度の円管により形成されることが好ましい。胴体部１およびケース２を成す円管の外側面には、操作部１３と干渉しない部分、例えば、本実施例のようにスリット２Ａの背面側（下方向）にグリップ１６が一体的に設けられる。グリップ１６は、作業時の噴霧装置１０の安定性を向上させるために設けられる把持部であり、噴霧作業時には、作業者は、このグリップ１６を把持して噴霧装置１０を使用する。
【００２８】
ケース２にキャップ６を介して一体的に設けられた直管部７の内部スペースは、供給された原材料が混合されるチャンバー１７であり、チャンバー１７で混合されて調製された原液は、このチャンバー１７を通じて直管部７の先端に設けられたノズル部８より外部に噴霧されるが、この直管部７には、スタティックミキサ１８が内蔵されて、原液をさらに均質な混合物に混合する。
【００２９】
直管部７は、内部スペースであるチャンバー１７にスタティックミキサ１８が内蔵され、原材料が十分に混合される程度の長さであれば、その長さは特に限定されないが、直管部７の長さを必要以上に長くすることは、操作性および原液の固着を防止する観点から好ましくない。本発明者らの実施によれば、例えば、エポキシ樹脂を使用する場合、直管部７の長さは、約２００ｍｍ〜３００ｍｍ程度であることが好ましい。
【００３０】
ノズル部８の形状は、任意に形成することが可能であり、例えば、細長い１本スリットとしたノズル部は、広い面積に皮膜形成材料の原液を噴霧するのに適し、また、円または楕円形状のノズル部としたものは、膜厚の厚い塗膜を形成するのに適する。
【００３１】
一方、第３の供給ライン５は、主として洗浄流体の供給に使用される。本実施例の噴霧装置１０において、この第３の供給ライン５は、空気ボンベや溶剤容器等の洗浄流体容器に接続され、第１の供給ライン３および第２の供給ライン４の使用時には、第３の供給バルブ１５が閉とされる。噴霧装置１０の使用後に、第３の供給バルブ１５を開として空気や溶剤等の洗浄流体をチャンバー１７に圧送して、ノズル部８の目詰まりやチャンバー１７内での原液の固着等を防止する。
【００３２】
第１の供給ライン３、第２の供給ライン４および第３の供給ライン５のそれぞれの供給バルブの下流側は、胴体部１内においてカップリングや溶接等の手段による継手３Ａ，継手４Ａおよび継手５Ａにより適切に配管径が絞られて、それぞれ銅チューブ３Ｂ，銅チューブ４Ｂおよび銅チューブ５Ｂに接続され、チャンバー１７の入口に向けて収束するように配管される。
【００３３】
銅チューブ３Ｂ，銅チューブ４Ｂおよび銅チューブ５Ｂの下流側端部である流体排出口３Ｃ，流体排出口４Ｃおよび流体排出口５Ｃは、統合されて流体排出部２０を成す。図４に流体排出部２０をノズル部８側から見た正面図を示す。チャンバー１７の入口に原材料および洗浄流体を供給する流体排出部２０は、図４に示す正面図のように構成されており、それぞれ第１の原材料、第２の原材料および洗浄流体をチャンバー１７に射出するように構成される。
【００３４】
この流体排出部２０は、キャップ６内に収容されてチャンバー１７に流体を排出するが、チャンバー１７と流体排出部２０との接続部分には、樹脂のパテ等のシール材により気密性が保たれるようにシーリングするシール部２１が設けられ、原材料および洗浄流体の胴体部１側への逆流が防止される。
【００３５】
胴体部１、ケース２、キャップ６、直管部７、ノズル８を構成する材料としては、防錆性に優れたステンレス製が好ましい。
【００３６】
図５に噴霧装置１０に原材料を供給するシステムの系統図を示す。
【００３７】
図５に示すように、第１の供給ライン３および第２の供給ライン４の噴霧装置１０に接続された一端と反対側の一端は、それぞれ第１の原材料供給容器２５および第２の原材料容器２６に接続されており、第１の供給ライン３および第２の供給ライン４にそれぞれ設けられた第１の供給ポンプ２７および第２の供給ポンプ２８によって、原材料が任意の供給量で噴霧装置１０に供給される。あるいは、第１の供給ライン３および第２の供給ライン４にそれぞれ流量調整バルブを設けて、原材料の供給量を調整する構成とすることも可能である。
【００３８】
すなわち、本実施例の噴霧装置１０においては、原材料の供給速度や原材料同士の混合割合の変更は、原材料供給容器側に設けられた供給ポンプ等の手段により実施する。原材料の混合割合は、使用する材料によって異なるが、この実施例の噴霧装置１０は、原材料の供給量をポンプ圧によって制御し、噴霧装置１０本体における操作系は、供給バルブによる開閉作業のみである。第３の供給ラインは、空気ボンベ２９に接続されて、噴霧装置１０に洗浄流体を供給する。
【００３９】
一方、実施例２の噴霧装置として、３液混合タイプの材料を噴霧するのに、第３のラインを第３の原材料供給容器に接続して、第３の原材料の供給ラインとして活用することも可能である。
【００４０】
このように、本発明の噴霧装置は、２液混合タイプの材料にも３液混合タイプの材料にも適用可能である。なお、第３の供給ライン５を原材料の供給ラインとして使用した後は、空気ボンベや溶剤容器等の洗浄流体容器に接続し、洗浄流体を流通させてチャンバー１７およびノズル部８を洗浄する。あるいは、第３の供給ラインに三方弁等の切換機構を設けて、第３の原材料供給容器につながる配管と、洗浄流体容器につながる配管とを切換可能に構成してもよい。
【００４１】
本発明の噴霧装置の取扱方法について説明する。
【００４２】
噴霧作業時には、ケース２と一体に設けられたグリップ１６を把持してノズル部８を皮膜形成する対象面に向け、操作部１３を開方向に操作して第１の供給バルブ１１および第２の供給バルブ１２を同時に開とする。
【００４３】
第１の原材料および第２の原材料は、第１の原材料供給容器２５および第２の原材料容器２６から、第１の供給ポンプ２７および第２の供給ポンプ２８の圧力により一定供給量でチャンバー１７に供給され、チャンバー１７に設けられたスタティックミキサ１８により均一な原液に調製されてノズル部８より所望の形状に、例えば、扇状に射出される。
【００４４】
皮膜形成作業を終了するには、操作部１３を閉に操作して第１の供給バルブ１１および第２の供給バルブ１２を同時に閉とし、チャンバー１７への原材料の供給をストップする。次に、第３の供給バルブを開とし、洗浄流体を所定の圧力にてチャンバー１７に送入し、チャンバー１７を洗浄して原液の固着を防止する。
【００４５】
また、３種類の原材料を混合するタイプの材料の場合は、第３の供給ライン５を図示しない第３の原材料供給容器に接続し、第１の供給バルブ１１，第２の供給バルブ１２および第３の供給バルブ１５を同時に開とする。
【００４６】
なお、本実施例の噴霧装置において、３液混合タイプの材料を噴霧する場合には、第１および第２の供給バルブと独立して操作可能な第３の供給バルブを用いる構成としたが、例えば、第１〜第３の供給バルブを全て同時に操作可能に設け、第４の供給バルブを新たに設けて洗浄流体ラインとする構成としても良い。このように、原材料供給用に設けられるバルブの数は、３個以上であっても良く、実施例の噴霧装置に限定されない。
【００４７】
本発明の噴霧装置は、例えば、道路舗装面に遮熱性を有する樹脂皮膜を形成する噴霧装置として好適に使用されるが、上記目的以外にも、例えば、以下の表１に示すような用途に使用することが可能である。
【表１】
2005296896.tif 000003
【００４８】
この表に示すように、本発明の噴霧装置により噴霧可能な材料の例としては、ポリウレタン樹脂、エポキシ樹脂、メタクリル樹脂（ＭＭＡ）、ポリエステル樹脂等の高分子材料が例示され、用途としては、遮熱皮膜形成以外にも滑り止め塗装や景観塗装、防水、防食ライニング等に使用可能である。また、道路舗装面の他に、駐車場、テニスコート、水道用施設等に対する材料の吹付けにも使用可能である。さらに、ゴムアスファルトのような３液混合型の高分子材料についても適用することが可能である。
【００４９】
以上説明のように、本発明の噴霧装置は、原材料を混合して原液を調整する材料を噴霧する場合に、これらの原材料をノズル部の直前で混合して原液を調製するため、ノズル部や噴霧装置の本体内での材料の固着や目詰まり等の不都合が防止される。
【００５０】
また、原材料を供給する第１の供給ラインおよび第２の供給ラインに設けられた第１の供給バルブおよび第２の供給バルブの開閉を操作する操作部を噴霧装置の本体を構成するケースに設けたので、原材料の供給を噴霧装置の本体を把持した状態で原液の噴霧を制御することが可能である。従って、噴霧装置と原材料供給容器との距離を長く取ることが可能となり、また、噴霧装置が小型であるため操作性および作業効率が向上する。
【００５１】
また、従来の２液混合タイプの噴霧装置は、原材料同士を同圧、等量で衝突混合させなければ、均質な原液の調製が不可能であったが、本発明の噴霧装置によれば、原材料同士を任意の流量および圧力にて供給し、十分に均質な原料を調製することが可能である。
【図面の簡単な説明】
【００５２】
【図１】本発明に係る噴霧装置の一実施例の構成を示す上方外観の概略図。
【図２】実施例の噴霧装置の構造を示す側方外観の概略図。
【図３】実施例の噴霧装置の部分断面図。
【図４】流体排出部の構成を示す正面図。
【図５】本発明の噴霧装置を使用するシステムの構成図。
【符号の説明】
【００５３】
１  胴体部
２  ケース
２Ａ  スリット
３  第１の供給ライン
３Ａ  継手
３Ｂ  銅チューブ
３Ｃ  流体排出口
４  第２の供給ライン
４Ａ  継手
４Ｃ  流体排出口
４Ｂ  銅チューブ
５  第３の供給ライン
５Ａ  継手
５Ｂ  銅チューブ
５Ｃ  流体排出口
６  キャップ
７  直管部
８  ノズル部
１０  噴霧装置
１１  第１の供給バルブ
１２  第２の供給バルブ
１３  操作部
１３Ａ  操作側
１４  ドラム部
１５  第３の供給バルブ
１６  グリップ
１７  チャンバー
１８  スタティックミキサ
１９  流体排出部
２１  シール部
２５  第１の原材料供給容器
２６  第２の原材料供給容器
２７  第１の供給ポンプ
２８  第２の供給ポンプ
２９  空気ボンベ
【図１】
2005296896.tif 000004
【図２】
2005296896.tif 000005
【図３】
2005296896.tif 000006
【図４】
2005296896.tif 000007
【図５】
2005296896.tif 000008